(57)【要約】【課題】フェーダの位置にかかわらずフェーダの後側において入力信号を検聴できるようにする。【解決手段】インプット・フェーダ１６ａにおいて各チャンネル毎に独立してレベル調整された波形データは、ＤＣＡフェーダ１６ｂにおいてグループ毎に一括してレベル調整されて出力される。ＤＣＡフェーダ１６ｂにおけるキュースイッチが操作された際に、ＤＣＡユニティスイッチ４０が操作されていると、グループ化された各チャンネルの分岐出力は、それぞれレベル調整部５１において操作子がノミナル位置とされた際のレベルに調整されてから、加算部５０においてミキシングされてキュー出力（ＤＣＡ　ＣＵＥ）とされる。【選択図】　図５
2004056342.tif 000002
【特許請求の範囲】
【請求項１】
入力信号のレベルを調整可能なレベル調整手段と、
検聴スイッチが操作された際に、前記レベル調整手段の出力側における前記入力信号を検聴出力として出力する検聴出力手段と、
検聴モードスイッチが操作された際に、前記検聴出力のレベルを、前記レベル調整手段における基準位置に相当するレベルとする検聴レベル調整手段と、
を備えるようにしたことを特徴とする検聴装置。
【請求項２】
前記検聴モードスイッチが操作された際に、前記検聴レベル調整手段は、前記レベル調整手段の分岐出力のレベルを調整して前記検聴出力とするようにしたことを特徴とする請求項１記載の検聴装置。
【請求項３】
入力信号のレベルを、入力信号毎に調整可能とされている第１レベル調整手段と、
該第１レベル調整手段から出力されるグループ化された入力信号のそれぞれのレベルを、グループ毎に一括して調整可能な第２レベル調整手段と、
検聴スイッチが操作された際に、前記第２レベル調整手段の出力側におけるグループ化された前記入力信号をミキシングして検聴出力として出力する検聴出力手段と、
検聴モードスイッチが操作された際に、前記ミキシングされるグループ化された前記入力信号のレベルを、前記第２レベル調整手段における基準位置に相当するレベルとする検聴レベル調整手段と、
を備えるようにしたことを特徴とする検聴装置。
【請求項４】
前記検聴モードスイッチが操作された際に、前記第２レベル調整手段の出力を分岐して得たグループ化された前記入力信号のそれぞれのレベルを調整してミキシングすることにより、前記検聴出力とするようにしたことを特徴とする請求項３記載の検聴装置。
【発明の詳細な説明】
【０００１】
【発明が属する技術分野】
この発明は、レベル調整手段を備える装置における入力信号の検聴を行う検聴装置に関し、ディジタルミキサやアナログミキサにおける検聴装置に適用して好適となる。
【０００２】
【従来の技術】
従来、多数のマイクロホンあるいは電気・電子楽器などから出力されるオーディオ信号のレベルや周波数特性を調整し、ミキシングしていくつかのミキシング・グループにまとめてパワーアンプや各種録音機器に送り出すミキサが知られている。ミキサを操作するオペレータは、楽器音や歌唱の各オーディオ信号の音量や音色を、ミキシング・コンソールにおける各種パネル操作子を操作することにより、演奏を最もふさわしく表現していると思われる状態に調整している。ミキサは、入力信号系列として複数のマイク／ライン入力の入力チャンネルを備え、入力信号系列をプログラムしてミキシングし、出力信号系列である複数の出力チャンネルに出力している。入力信号系列における各入力チャンネルの信号は、一般にヘッドアンプにより増幅されてミキシング処理部に出力される。そして、ミキシング処理部において周波数特性およびレベルが調整されて、プログラムされた組み合わせにおいてミキシングされる。次いで、出力フェーダにより任意の出力レベルになるように設定されて出力チャンネルの１つに出力される。
【０００３】
【発明が解決しようとする課題】
このようなミキサは、劇場、コンサートホールにおいて使用されたり、コンパクト・ディスク（ＣＤ）等に記録するための音楽ソースを作成するための録音スタジオ用機器として使用されている。例えば、コンサートホールにおけるミキサにおいては、ステージに多数のマイクが設置され演奏された楽器音や歌われた歌唱音がマイクを通して入力されるようになる。ミキサは、ミキシング・コンソールにおいて入力された多数のマイク／ライン信号のレベルや周波数特性を調整して所望の組み合わせでミキシングし、ミキシング出力のレベルを調整してスピーカを駆動するパワーアンプに出力するようにしている。
【０００４】
このようなミキサには多数のマイク／ライン信号が入力されてミキシングする際には、ミキシングの各ステップにおける音量等を確認する必要が生じる。このため、これらの入力信号のミキシングの各ステップにおける検聴を行うことができるようにされている。例えば、検聴は入力信号のレベルを調整するフェーダの前側および後側において検聴することができるようにされている。この場合、フェーダの後側において入力信号を検聴する際には、フェーダにおいてレベル調整されていることから、フェーダの位置が下がっている場合は聞くことができないという問題点があった。また、いくつかの入力信号グループ化されている場合は、グループ化されている入力信号は一括してフェーダによりレベル調整されるようになる。この場合において検聴する際には、グループ化されている入力信号がミキシングされて検聴されるようになる。しかし、フェーダの位置が下がっている場合は、ミキシングされた検聴信号を聞くことができないという問題点があった。
【０００５】
そこで、本発明はフェーダの位置にかかわらずフェーダの後側において入力信号を検聴することができる検聴装置を提供することを目的としている。
【０００６】
【課題を解決するための手段】
上記目的を達成することのできる本発明の検聴装置は、検聴する際にはレベル調整手段における基準位置に相当する検聴出力のレベルを出力できるようにしている。これにより、ある入力信号がフェーダを上げた時にどの様な音量で出ているかを、フェーダを操作することなく検聴することができるようになる。
また、グループ化された入力信号をミキシングして検聴出力とする場合においても、レベル調整手段における基準位置に相当するレベルとしてミキシングするようにしている。これにより、グループされている入力信号がどのようにミキシングされているのかを、フェーダを操作することなく検聴することができるようになる。
【０００７】
【発明の実施の形態】
本発明の実施の形態にかかる検聴装置を備えるディジタル・ミキサの構成を示すブロック図を図１に示す。
ディジタル・ミキサ１は、全体の動作を制御すると共に、ミキシング・コンソール１５に設けられているコントローラ１６の操作に応じて制御信号を生成しているＣＰＵ（Ｃｅｎｔｒａｌ　Ｐｒｏｃｅｓｓｉｎｇ　Ｕｎｉｔ）１０と、ＣＰＵ１０が実行するミキシング制御プログラム等の動作ソフトウェアが格納されている書き換え可能な不揮発性のフラッシュメモリと、ＣＰＵ１０のワークエリアや各種データ等が記憶されるＲＡＭ（Ｒａｎｄｏｍ　Ａｃｃｅｓｓ　Ｍｅｍｏｒｙ）からなるメモリ１１を備えている。このように、フラッシュメモリに動作ソフトウェアを格納することにより、メモリ１１におけるフラッシュメモリ内の動作ソフトウェアを書き換えることで、動作ソフトウェアをバージョンアップすることができる。信号処理部１３にはインプット・ユニット１２から複数チャンネルの波形信号が入力されており、ＣＰＵ１０の制御の元でミキシング処理等を行い、アウトプット・ユニット１４からミキシングされた波形信号を出力している。なお、信号処理部１３は多数のＤＳＰを用いて構成されている。
【０００８】
また、ディジタル・ミキサ１の全ての波形の入力は、インプット・ユニット１２で行われ、全ての波形の出力はアウトプット・ユニット１４で行われる。このインプット・ユニット１２は、複数チャンネルのアナログ入力ユニット、ステレオアナログ入力ユニットや複数チャンネルのステレオディジタル入力ユニットを備えている。また、アウトプット・ユニット１４は、複数チャンネルのアナログ出力ユニット、ステレオアナログ出力ユニット、複数チャンネルのステレオディジタル出力ユニットやモニタ用アナログ出力ユニットを備えている。
【０００９】
ミキシング・コンソール１５は、コントローラ１６とディスプレイ１７およびスイッチ１８を備えている。コントローラ１６は、ミキサを操作するオペレータが操作可能なインプット・フェーダ１６ａ、ＤＣＡフェーダ１６ｂ・・・等の多数の操作子を備えている。インプット・フェーダ１６ａは、インプット・ユニット１２から入力された各チャンネルの入力波形のレベルをチャンネル毎に調整可能なフェーダとされており、レベル制御を手動および電動により調整することができる電動フェーダとすることができる。ＤＣＡフェーダ１６ｂは、グループ化されたチャンネルの波形データのレベルを一括してディジタル制御により調整することができるフェーダとされており、レベル制御を手動および電動により調整することができる電動フェーダとされている。ディジタル・ミキサ１のオペレータは、ミキシング・コンソール１５におけるこれらのコントローラ１６を操作することにより、演奏を最もふさわしく表現していると思われる状態に調整している。なお、ディスプレイ１７は、例えば液晶表示器とされており、このディスプレイ１７にはミキシングされる各過程におけるディジタル信号のレベルをバーグラフ状に表示することができる。また、スイッチ１８はインプット・フェーダ１６ａやＤＣＡフェーダ１６ｂの周囲等に配置されているパネルスイッチであり、後述する波形レベルを検聴する際のキュースイッチやＤＣＡユニティスイッチが含まれている。なお、バス１９により各部が接続されている。
【００１０】
本発明にかかる図１に示す構成のディジタル・ミキサ１におけるコントローラ１６におけるインプット・フェーダ１６ａおよびＤＣＡフェーダ１６ｂの接続関係を図２に示し、そのパネル上の配置例を図３に示す。
図２において、インプット・ユニット１２から出力された各チャンネルの入力波形データＩＮ１，ＩＮ２，ＩＮ３，・・・ＩＮｎは、インプット・フェーダ１６ａに入力され、各チャンネル毎に設けられたインプット・フェーダＩＦ１，ＩＦ２，ＩＦ３，・・・ＩＦｎによりレベル制御される。この場合、インプット・フェーダＩＦ１，ＩＦ２，ＩＦ３，・・・ＩＦｎは、図３に示すようにそれぞれ操作摘み３１ａ，３１ｂ，３１ｃ，・・・３１ｎを備えており、この操作摘み３１ａ，３１ｂ，３１ｃ，・・・３１ｎを上下に手動あるいは電動で移動させることにより、インプット・フェーダＩＦ１，ＩＦ２，ＩＦ３，・・・ＩＦｎからの出力レベルをチャンネル毎に調整することができる。なお、インプット・フェーダＩＦ１，ＩＦ２，ＩＦ３，・・・ＩＦｎにおいてラインで示されているノミナル位置（ＮＯＭＩＮＡＬ）は、減衰度が０ｄＢとなる操作摘み３１ａ，３１ｂ，３１ｃ，・・・３１ｎの基準位置である。
【００１１】
インプット・フェーダＩＦ１，ＩＦ２，ＩＦ３，・・・ＩＦｎから出力されるレベル制御された波形データは、グループ化するためにＤＣＡアサイナー２０に供給される。このＤＣＡアサイナー２０には、ＤＣＡフェーダ１６ｂが後続しており、ＤＣＡフェーダ１６ｂにおけるＤＣＡフェーダＤＣＡ１，・・・ＤＣＡｍ毎にグループ化される。図２に示す例では、インプット・フェーダＩＦ１の出力はＤＣＡアサイナー２０によりグループｍのＤＣＡフェーダＤＣＡｍにおけるｋ番目入力に割り当てられ、その旨が図３に示すインプット・フェーダＩＦ１の上部に〔ＧＲＰｍ〕として表示される。また、インプット・フェーダＩＦ２の出力はＤＣＡアサイナー２０によりグループ１のＤＣＡフェーダＤＣＡ１における１番目入力に割り当てられ、その旨が図３に示すインプット・フェーダＩＦ２の上部に〔ＧＲＰ１〕として表示されている。同様に、インプット・フェーダＩＦ３の出力はＤＣＡアサイナー２０によりグループｍのＤＣＡフェーダＤＣＡｍにおける１番目入力に割り当てられ、その旨が図３に示すインプット・フェーダＩＦ３の上部に〔ＧＲＰｍ〕として表示される。さらに、インプット・フェーダＩＦｎ−１の出力はＤＣＡアサイナー２０によりグループ１のＤＣＡフェーダＤＣＡ１におけるｋ番目入力に割り当てられ、その旨が図３に示すインプット・フェーダＩＦｎ−１の上部に〔ＧＲＰ１〕として表示される。さらにまた、インプット・フェーダＩＦｎの出力はＤＣＡアサイナー２０によりＤＣＡフェーダには割り当てられず出力ＯＵＴｎとされる。
【００１２】
ＤＣＡフェーダＤＣＡ１に入力されたｋ個の波形データはグループ化されて、ＤＣＡフェーダＤＣＡ１により一括してレベル制御される。すなわち、図３に示すＤＣＡフェーダＤＣＡ１における操作摘み４２ａを手動あるいは電動で上下に移動させることにより、ＤＣＡフェーダＤＣＡ１に入力されたｋ個の波形データのレベル制御が一括して行われて、波形データＤＣＡＯＵＴ１−１〜ＤＣＡＯＵＴ１−ｋとして出力される。同様にして、ＤＣＡフェーダＤＣＡｍに入力されたｋ個の波形データはグループ化されて、ＤＣＡフェーダＤＣＡｍにより一括してレベル制御される。すなわち、図３に示すＤＣＡフェーダＤＣＡｍにおける操作摘み４２ｍを手動あるいは電動で上下に移動させることにより、ＤＣＡフェーダＤＣＡｍに入力されたｋ個の波形データのレベル制御が行われて、波形データＤＣＡＯＵＴｍ−１〜ＤＣＡＯＵＴｍ−ｋとして出力される。なお、ＤＣＡフェーダＤＣＡ１〜ＤＣＡｍにおいてラインで示されているノミナル位置（ＮＯＭＩＮＡＬ）は、減衰度が０ｄＢとなる操作摘み４２ａ〜４３ｍの基準位置である。
【００１３】
ところで、ミキシング・コンソール１５における上述したコントローラ１６を操作することにより、演奏を最もふさわしく表現していると思われる状態にミキシング処理する際に、インプット・フェーダ１６ａおよびＤＣＡフェーダ１６ｂの入力側および出力側の波形データの音の状態を検聴したい場合がある。このような場合に備えてキュースイッチ（ＣＵＥ）が、インプット・フェーダ１６ａおよびＤＣＡフェーダ１６ｂの各フェーダ毎に設けられている。この場合、検聴できる位置（ＣＵＥ　ＰＯＩＮＴ）は、図４に示すようにインプット・フェーダ１６ａの前側（ＰＲＥ−ＦＡＤＥＲ）と後側（ＰＯＳＴ−ＦＡＤＥＲ）、およびＤＣＡフェーダ１６ｂの後側（ＤＣＡ−ＯＵＴ）とされている。例えば、図３に示すようにインプット・フェーダＩＦ１の下側に設けられているキュースイッチ３２ａを操作した際に、プリ／ポストスイッチ（ＰＲＥ／ＰＯＳＴ）３３がプリ状態となっていた場合は、インプット・フェーダＩＦ１の入力側における波形データがキュー出力とされて、入力側の音の状態を検聴することができる。また、この状態において、プリ／ポストスイッチ（ＰＲＥ／ＰＯＳＴ）３３を操作すると、その状態がポスト状態となってインプット・フェーダＩＦ１の出力側における波形データがキュー出力とされて、出力側の音の状態を検聴することができる。
【００１４】
さらに、例えば、図３に示すようにＤＣＡフェーダＤＣＡ１の上側に設けられているＤＣＡキュースイッチ４１ａを操作すると、ＤＣＡフェーダＤＣＡ１の出力側における波形データがキュー出力とされて、ＤＣＡフェーダＤＣＡ１の出力側の音の状態を検聴することができる。この場合、グループ化されているチャンネルの音がミキシングされてキュー出力とされる。ＤＣＡフェーダＤＣＡ１の出力側の音の状態を検聴する際には、そのキュー出力のレベルは操作摘み４２ａの位置に応じたレベルとされる。すると、操作摘み４２ａの位置が下にありキュー出力のレベルが小さい場合は、キュー出力が聞こえず検聴できないことが生じる。これを解決するために、本発明にかかる検聴装置では、ＤＣＡユニティスイッチ（ＤＣＡ　ＵＮＩＴＹ）４０を設けてこのＤＣＡユニティスイッチ４０が操作された際には、操作摘み４２ａがノミナル位置４３ａに位置した際のレベルとされたキュー出力を出力するようにしている。これにより、操作摘み４２ａの位置が下にあっても操作摘み４２ａを上げた時にどのような音量で出力されるかを検聴することができるようになる。
【００１５】
ここで、図５に示す本発明にかかる検聴装置の概略構成を参照して説明すると、インプット・フェーダ１６ａにおいて各チャンネル毎に独立してレベル調整された波形データは、ＤＣＡフェーダ１６ｂにおいてグループ毎に一括してレベル調整されて出力される。ＤＣＡフェーダ１６ｂにおけるキュースイッチのいずれかが操作されると、操作されたキュースイッチに該当するグループ化された各チャンネルの分岐出力が加算部５０においてミキシングされてキュー出力（ＤＣＡ　ＣＵＥ）とされる。この際に、ＤＣＡユニティスイッチ４０が操作されていると、操作されたキュースイッチに該当するグループ化された各チャンネルの分岐出力は、それぞれレベル調整部５１において操作子がノミナル位置とされた際のレベルに調整されてから、加算部５０においてミキシングされてキュー出力（ＤＣＡ　ＣＵＥ）とされる。例えば、ＤＣＡユニティスイッチ４０が操作されていて、ＤＣＡキュースイッチ４１ａが操作された際には、操作摘み４２ａがノミナル位置４３ａとされた際のキュー出力となり、ＤＣＡキュースイッチ４１ｍが操作された際には、操作摘み４２ｍがノミナル位置４３ｍとされた際のキュー出力となる。
【００１６】
このように、ＤＣＡユニティスイッチ４０が操作された際にディジタル・ミキサ１において実行されるＤＣＡユニティ処理のフローチャートを図６に示す。
図６に示すＤＣＡユニティ処理は所定タイミング毎に開始され、開始されるとステップＳ１０にてパネルスイッチが操作された際の操作イベントを検出する。次いで、ステップＳ１１にて現在の状態がＤＣＡユニティモードがオフとされている状態か否かが判断される。ここで、現在、ＤＣＡユニティモードがオフとされていると判断された場合は、ステップＳ１２に進みＤＣＡユニティスイッチ４０をオンしたイベントがあるか否かが判断される。ここで、ステップＳ１０にて検出されたイベントがＤＣＡユニティスイッチ４０をオンしたイベントと判断されると、ステップＳ１３に進みＤＣＡユニティモードがオンとされる。
【００１７】
次いで、ステップＳ１４にてＤＣＡキュースイッチ４１がオンされているか否かが判断される。ここで、ＤＣＡキュースイッチ４１がオンされていると判断された場合は、ステップＳ１５に進みオンされているＤＣＡフェーダにおいてグループ化されて一括してレベル制御されている各ＤＣＡフェーダの設定値ＤＣＡＧＡＩＮｊが読み取られる。そして、ステップＳ１６にてそのグループ化されている各ＤＣＡフェーダの分岐出力に、それぞれ係数１／ＤＣＡＧＡＩＮｊが乗算されて各ＤＣＡフェーダの操作子がノミナル位置とされた際の音量とされ、さらにミキシングされてＤＣＡキュー出力として出力される。ステップＳ１６の処理が終了するとＤＣＡユニティ処理は終了する。また、ステップＳ１４にてＤＣＡキュースイッチ４１がオンされていないと判断された場合は、ＤＣＡユニティ処理はそのまま終了する。
【００１８】
ステップＳ１１にて現在の状態がＤＣＡユニティモードがオフとされている状態ではなくオンされている状態と判断されると、ステップＳ１７に分岐してＤＣＡユニティスイッチ４０をオンしたイベントがあるか否かが判断される。ここで、ステップＳ１０にて検出されたイベントがＤＣＡユニティスイッチ４０をオンしたイベントと判断されると、ステップＳ１８に進みＤＣＡユニティモードがオフとされる。次いで、ステップＳ１９にてＤＣＡキュースイッチ４１がオンされているか否かが判断される。ここで、ＤＣＡキュースイッチ４１がオンされていると判断された場合は、ステップＳ２０に進みオンされているＤＣＡフェーダにおいてグループ化されて一括してレベル制御されるいる各ＤＣＡフェーダの出力信号ＤＣＡＯＵＴｊが分岐され、ミキシングされてＤＣＡキュー出力として出力される。ステップＳ２０の処理が終了するとＤＣＡユニティ処理は終了する。また、ステップＳ１９にてＤＣＡキュースイッチ４１がオンされていないと判断された場合は、ＤＣＡユニティ処理はそのまま終了する。
【００１９】
さらに、ステップＳ１７にてＤＣＡユニティスイッチ４０をオンしたイベントがないと判断された場合は、ＤＣＡユニティモードのオン状態が維持されることから、ステップＳ１４に分岐してステップＳ１４ないしステップＳ１６のＤＣＡユニティモードがオン時の処理が実行される。これにより、グループ化されている各ＤＣＡフェーダの操作子がノミナル位置とされた際の音量とされ、さらにミキシングされてＤＣＡキュー出力として出力される。また、ステップＳ１２にてＤＣＡユニティスイッチ４０をオンしたイベントがないと判断された場合は、ＤＣＡユニティモードのオフ状態が維持されることから、ステップＳ１９に分岐してステップＳ１９およびステップＳ２０のＤＣＡユニティモードがオフ時の処理が実行される。これにより、ＤＣＡフェーダにおいてグループ化されて一括してレベル制御される各ＤＣＡフェーダの出力信号が分岐され、ミキシングされてＤＣＡキュー出力として出力される。
【００２０】
以上の説明では、ディジタル・ミキサについて説明したが、本発明にかかる検聴装置はアナログ・ミキサにも適用することができる。本発明にかかる検聴装置をアナログ・ミキサに適用した場合には、ＤＣＡフェーダに替えてアナログ・ミキサにおいてレベル制御を行っているＶＣＡ（Ｖｏｌｔａｇｅ　Ｃｏｎｔｒｏｌｌｅｄ　Ａｍｐｌｉｆｉｅｒ）フェーダの制御を同様に行えばよい。
【００２１】
【発明の効果】
本発明は以上のように構成されているので、レベル調整手段における基準位置に相当する検聴出力のレベルを出力できるようにしている。これにより、ある入力信号がフェーダを上げた時にどの様な音量で出ているかを、フェーダを操作することなく検聴することができるようになる。
また、グループ化された入力信号をミキシングして検聴出力とする場合においても、レベル調整手段における基準位置に相当するレベルとしてミキシングするようにしている。これにより、グループされている入力信号がどのようにミキシングされているのかを、フェーダを操作することなく検聴することができるようになる。
【図面の簡単な説明】
【図１】本発明の実施の形態にかかる検聴装置を備えるディジタル・ミキサの構成を示すブロック図である。
【図２】本発明の実施の形態にかかるディジタル・ミキサにおけるコントローラにおけるインプット・フェーダおよびＤＣＡフェーダの接続関係を示す図である。
【図３】本発明の実施の形態にかかるディジタル・ミキサにおけるコントローラにおけるインプット・フェーダおよびＤＣＡフェーダのパネル上の配置例を示す図である。
【図４】本発明の実施の形態にかかる検聴装置におけるキューポイントを示す図である。
【図５】本発明の実施の形態にかかる検聴装置の概略構成を示す図である。
【図６】本発明の実施の形態にかかる検聴装置において実行されるＤＣＡユニティ処理のフローチャートである。
【符号の説明】
１　ディジタル・ミキサ、１０　ＣＰＵ、１１　メモリ、１２　インプット・ユニット、１３　信号処理部、１４　アウトプット・ユニット、１５　ミキシング・コンソール、１６　コントローラ、１６ａ　インプット・フェーダ、１６ｂ　ＤＣＡフェーダ、１７　ディスプレイ、１８　スイッチ、１９　バス、２０　ＤＣＡアサイナー、３１ａ〜３１ｎ　操作摘み、３２ａ〜３２ｎ　キュースイッチ、４０　ユニティスイッチ、４１　キュースイッチ、４１ａ　キュースイッチ、４１ｍ　キュースイッチ、４２ａ　操作摘み、４２ｍ　操作摘み、４３ａ　ノミナル位置、４３ｍ　ノミナル位置、５０　加算部、５１　レベル調整部、ＤＣＡ１　ＤＣＡフェーダ、ＤＣＡｍ　ＤＣＡフェーダ、ＩＦ１〜ＩＦｎ　インプット・フェーダ
【図１】
2004056342.tif 000003
【図２】
2004056342.tif 000004
【図３】
2004056342.tif 000005
【図４】
2004056342.tif 000006
【図５】
2004056342.tif 000007
【図６】
2004056342.tif 000008